(57)【要約】【課題】鍵盤楽器の運指表示を行う場合において、左手と右手が接近したり交差したりして両手が重なる場合においても、必要な情報を練習者（演奏者）に対して確実に指示することができる運指表示手法を得る。【解決手段】楽曲の押鍵情報に基づき楽曲再生時に楽器を演奏する運指動画を描画して画面に運指表示するプログラムであって、前記楽曲再生時の再生時刻に対応する運指位置情報を元に左手及び右手の運指画像を生成するに際して、左手及び右手の運指画像が重なる場合に、現在再生位置における押鍵対象の楽音のうち、発音開始時刻が最も遅い楽音に対応する手を前面に描画するとともに、現在再生位置における押鍵対象の楽音が無くどちらの手も押鍵していない時には、次に押鍵する指が含まれる手を前面に描画する。【選択図】図６
2019179161.tif 000002
【特許請求の範囲】
【請求項１】
楽曲の押鍵情報に基づき楽曲再生時に楽器を演奏する運指動画を描画して画面に運指表示するプログラムであって、
前記楽曲再生時の再生時刻に対応する運指位置情報を元に左手及び右手の運指画像を生成するに際して、
左手及び右手の運指画像が重なる場合に、現在再生位置における押鍵対象の楽音のうち、発音開始時刻が最も遅い楽音に対応する手を前面に描画するとともに、
現在再生位置における押鍵対象の楽音が無くどちらの手も押鍵していない時には、次に押鍵する指が含まれる手を前面に描画する
機能をコンピュータに実行させることを特徴とする運指表示プログラム。
【請求項２】
左手及び右手の運指画像が重なる場合に、左手と右手が同時に押鍵された時には、難しい方の手を前面に描画する機能をコンピュータに実行させる請求項１に記載の運指表示プログラム。
【請求項３】
前面に描画する手の透過率を、もう片方の手の透過率よりも小さくして描画する請求項１又は請求項２に記載の運指表示プログラム。
【発明の詳細な説明】
【技術分野】
【０００１】
本発明は、鍵盤楽器の練習用の運指表示に関し、複数の楽音から構成される演奏情報と各楽音に対応する指番号情報に基づき、楽音再生時に楽器を演奏する運指動画を描画して画面に表示するための運指表示プログラムに関する。
【背景技術】
【０００２】
電子ピアノ等の鍵盤楽器について演奏練習を行う場合に、操作する鍵盤表示に重ねて手の甲と各指から構成される運指画像を表示することで、鍵盤を押したり離したりする指使いを練習者に指示する演奏動作表示装置が提案されている。
例えば特許文献１には、指の運び方を分かりやすくするために、手の動きが連続的に移行する運指動画生成技術が開示されており、単音の場合と和音の場合とで条件分けを行い、それぞれの指の形や手の甲の位置を決定するようにしている。
【０００３】
すなわち特許文献１には、複数種の操作運指画像データおよび複数種の経過運指画像データをＲＯＭに格納しておき、ノートオン処理の鍵の操作開始を示す運指に対応する操作運指画像データをＲＯＭから選択して読み出し、表示装置に与えて表示させ、さらに、ノートオフ処理の次に押鍵する鍵の操作開始に至るまでの経過を示す運指に対応する経過運指画像データをＲＯＭから選択して読み出し、表示装置に与えて表示させることにより、曲の進行に応じたきめ細かな演奏ガイドを行う運指表示装置が記載されている。
【０００４】
また、出願人は、鍵盤サイズや鍵盤の画面表示上での大きさにあった手形を描画させることができる運指表示方法として特許文献２に示された手法を提案している。
【先行技術文献】
【特許文献】
【０００５】
【特許文献１】特許第３５２１８３８号公報
【特許文献２】特許第４０７０１００号公報
【発明の概要】
【発明が解決しようとする課題】
【０００６】
上述した特許文献１に開示された運指表示装置によれば、どの指でどの鍵をどのタイミングで弾くのかを練習者に直感的に指示することが可能になる。しかしながら、左手と右手が接近したり交差したりして両手が重なる場合には、一方の手がもう片方の手の必要な情報である指の先端付近を隠してしまうような現象が多々生じる。このような場合、それぞれの手をどのように優先順位を付けて、どのように描画するかについての考慮がなされていなかった。
【０００７】
本発明は上記実情に鑑みて提案されたもので、鍵盤楽器の運指表示を行う場合において、左手と右手が接近したり交差したりして両手が重なる場合においても、必要な情報を練習者（演奏者）に対して確実に指示することができる運指表示プログラムを提供することを目的とする。
【課題を解決するための手段】
【０００８】
上記目的を達成するために本発明（請求項１）は、楽曲の押鍵情報に基づき楽曲再生時に楽器を演奏する運指動画を描画して画面に運指表示するプログラムであって、
前記楽曲再生時の再生時刻に対応する運指位置情報を元に左手及び右手の運指画像を生成するに際して、
左手及び右手の運指画像が重なる場合に、現在再生位置における押鍵対象の楽音のうち、発音開始時刻が最も遅い楽音に対応する手を前面に描画するとともに、
現在再生位置における押鍵対象の楽音が無くどちらの手も押鍵していない時には、次に押鍵する指が含まれる手を前面に描画する
機能をコンピュータに実行させることを特徴としている。
【０００９】
請求項２は、請求項１に記載の運指表示プログラムにおいて、
左手及び右手の運指画像が重なる場合に、左手と右手が同時に押鍵された時には、難しい方の手を前面に描画する機能をコンピュータに実行させる。
【００１０】
請求項３は、請求項１又は請求項２に記載の運指表示プログラムにおいて、
前面に描画する手の透過率を、もう片方の手の透過率よりも小さくして描画する機能をコンピュータに実行させる。
【発明の効果】
【００１１】
本発明によれば、左手及び右手の運指画像が重なる場合に、現在再生位置における押鍵対象の楽音のうち、発音開始時刻が最も遅い楽音に対応する手を前面に描画するとともに、現在再生位置における押鍵対象の楽音が無くどちらの手も押鍵していない時には、次に押鍵する指が含まれる手を前面に描画することで、最後に押鍵すべき情報（手の形状や手の甲の位置、押鍵すべき指、押鍵する鍵の位置）を前面に確実に表示することができる。
【００１２】
左手及び右手の運指画像が重なる場合で、左手と右手が同時に押鍵された時には、難しい方の手を前面に描画することで、練習者にとってより重要である難易度の高い方の手の指の情報を優先的に表示させることができる。
【００１３】
左手及び右手の運指画像が重なる場合に、前面に表示される手の透過率を、もう片方の手の透過率よりも小さくして描画することで、前面の手の運指画像を見易くしつつ、背面の手の運指画像も同時に確認可能とすることができる。
【図面の簡単な説明】
【００１４】
【図１】本発明の運指表示装置の構成を示す機能ブロック図である。
【図２】左手と右手を交互に弾く箇所を有する楽譜例である。
【図３】（ａ）〜（ｈ）は、図２の楽譜に対応して表示される運指画像例を時系列に示した画像図である。
【図４】左手と右手を同時に押鍵する箇所を有する楽譜例である。
【図５】（ａ）〜（ｅ）は、図４の楽譜に対応して表示される運指画像例を時系列に示した画像図である。
【図６】本発明の運指表示プログラムにおける左手及び右手（両手）の運指画像を生成するためのフローチャートである。
【発明を実施するための形態】
【００１５】
以下、図面を参照しながら本発明の運指表示装置について説明する。
運指表示装置は、楽譜データの表示及びそれに対応する運指表示を実行させるため、ＣＰＵ、ＲＯＭ、ＲＡＭやハードディスクなどを有する周知のタブレット型端末に対して、運指表示プログラムをインストールすることで構築される。タブレット型端末は、楽譜及び鍵盤を表示可能とする表示部と、タッチ操作を入力する入力部を有するタッチパネルと、音を再生するスピーカなどのサウンド出力装置を備えている。表示部では、鍵盤と共に手形による運指画像が表示され、ユーザは表示される運指画像を頼りに鍵盤楽器などで運指の練習をすることができる。
運指表示装置のＣＰＵは、インストールされた所定の制御プログラム（運指表示プログラム）に従って各種処理を実行し、運指表示装置全体の制御を行う。
また、タブレット型端末にはＭＩＤＩインタフェースを介してＭＩＤＩ機器を接続可能としている。演奏データや運指描画データは、タブレット型端末内のＲＯＭに格納したり、ＭＩＤＩインタフェースを介して、又は記録媒体により外部から提供したりすることができる。
【００１６】
運指表示装置の使用例としては、例えばディジタルピアノに接続し、装置に記録された楽譜データを表示するとともに該楽譜データに対応する演奏データをディジタルピアノ側へ送信することによりディジタルピアノの音源を鳴らしてデモ演奏をしたり、ユーザが運指表示装置に表示された楽譜を見ながらディジタルピアノを演奏し、その演奏結果を装置側に入力し、装置側に表示している楽譜データに対応するお手本演奏データと比較することで、ユーザによる演奏状態の確認（評価）を行うようにしたりする。
【００１７】
タブレット型端末に対して本発明に従う処理を実行するために、例えば記録媒体に保存された運指表示プログラムをインストールして構築した運指表示装置について、図１の機能ブロック図を参照しながら説明する。
運指表示装置は、演奏を行うための楽音情報や各楽音に対応して運指表示を行うための指番号情報が記憶された楽音・指番号情報記憶部１１と、運指情報から押鍵情報を生成する押鍵情報生成部１２と、押鍵情報を記憶する押鍵情報記憶部１３と、押鍵情報から運指位置情報を生成する運指位置情報生成部１４と、運指位置情報から運指画像を生成する運指画像生成部１５と、を備えている。
また、運指情報に含まれる楽譜情報から楽譜画像を生成する楽譜画像生成部１６を備え、運指画像生成部１５及び楽譜画像生成部１６で生成された画像は、画像情報記憶部１７に記憶され、ディスプレイ等の表示装置１８で表示される。
【００１８】
また、運指表示装置は、楽音・指番号情報記憶部１１に記憶された楽音情報から楽曲を再生するための再生情報を再生する再生情報生成部２１と、再生情報を記憶する再生情報記憶部２２と、再生情報からサウンドを生成するサウンド生成部２３と、アナログ信号に変換するサウンド再生部２４と、増幅器及びスピーカ等のサウンド出力装置２５を備えている。
【００１９】
楽音・指番号情報記憶部１１には、楽譜を構成する楽音、及び、楽音に対応する指番号等の楽曲再生および運指描画に最低限必要な情報が記憶されている。
【００２０】
押鍵情報生成部１２は、楽音・指番号情報記憶部１１に記憶された情報に基づいて、楽曲の先頭からの末尾までの任意の時刻における押鍵情報を生成する。押鍵情報としては、対象時刻、および該時刻における押鍵中の各楽音に対する弾く手と指番号、音量、ノートナンバー、特殊な指使いフラグの有無の情報が作成される。特殊な指使いとは、演奏手法における指かえ、指くぐり、指ごえが含まれる。
押鍵情報生成部１２で作成された押鍵情報は押鍵情報記憶部１３に記憶される。
【００２１】
押鍵情報記憶部１３に記憶された押鍵情報が特殊な指使いを含んでいる場合は、運指表示が特殊な指使いを必要とするものとして、押鍵情報生成部１２で生成された押鍵情報から特殊指使い情報生成部３１で特殊指使い情報を生成し、特殊指使い情報記憶部３２に記憶する。運指表示が特殊な指使いを含むかどうかは、押鍵情報生成部１２で生成された押鍵情報から判断される。
【００２２】
運指位置情報生成部１４は、押鍵情報記憶部１３に記憶された情報に基づいて、再生時刻（楽曲の先頭からの現在再生位置の時刻）Ｔにおける運指位置情報Ｐｍを生成する。
【００２３】
運指位置情報Ｐｍは、運指画像における手形及び指形状を描写するための情報となる。運指位置情報としては、左右の手の甲の中心の位置データ、５本の各指の付け根の位置データ、手首の付け根２点（親指側、小指側）の位置データ、および各指の先端の位置データを含む。そして、これらの情報が与えられることにより運指画像が描画可能となる。また、鍵に対する手形の各部位置を定めるためには、前記位置データと鍵との位置関係を表すデータを与えればよい。
運指位置情報から運指画像を得る手法は、例えば、上述した特許文献１（特許第３５２１８３８号）や特許文献２（特許第４０７０１００号）に示される公知の手法が用いられる。
【００２４】
運指画像生成部１５は、運指位置情報生成部１４で作成された情報に基づいて、再生時刻Ｔにおける両手の運指画像を生成する。
各運指画像は、運指位置情報に応じた手の形状及び指位置の座標に関する情報を元に生成される。
左手及び右手に対応する各運指画像の具体的な画像例及び生成手順については後述する。
【００２５】
また、楽譜画像生成部１６は、楽音・指番号情報記憶部１１に記憶された情報に基づいて楽譜画像を生成する。
【００２６】
運指画像生成部１５で作成された運指画像、及び、楽譜画像生成部１６で作成された楽譜画像は、画像情報として画像情報記憶部１７に記憶される。
【００２７】
表示装置１７では、画像情報記憶部１７に記憶された画像情報が表示される。
すなわち、楽譜の楽音に対応する押鍵情報に基づき、楽曲再生時に楽器を演奏する運指動画が画面に運指表示される。具体的な画像表示としては、上段に楽譜が表示され、その下段に鍵盤及び楽譜の各楽音を両手で演奏するための運指画像が表示される。楽譜に代えて、ピアノロールのような演奏情報を表示してもよい。
【００２８】
再生情報生成部２１は、楽音・指番号情報記憶部１１に記憶された情報に基づいて、楽音の再生情報を生成する。再生情報としては、各楽音が発生する時刻、音量、ノートナンバーのＭＩＤＩ情報が作成される。
再生情報生成部２１で作成された再生情報は再生情報記憶部２２に記憶される。
サウンド生成部２３では、再生情報に応じアナログ信号から成るサウンド情報が生成される。
【００２９】
サウンド再生部２４では、サウンド情報に応じたアナログ信号が再生される。また、押鍵情報生成部１２の押鍵情報の生成では、楽曲の再生時刻に応じた押鍵情報が生成されるように、サウンド再生部２４からの時間情報が入力される。
サウンド出力装置２５では、サウンド情報となるアナログ信号が増幅器及びスピーカを介して出力されることで音が再生される。
【００３０】
上述した運指表示装置で表示される左手及び右手の各運指画像について、図２及び図３を参照して説明する。
図２は、左手及び右手により交互に弾く箇所が存在する楽曲である「エリーゼのために」の楽譜の一部を表したものであり、上段が右手演奏部分、下段が左手演奏部分となるＸ部分に表示される楽音を用いて左右の手の運指画像について説明する。音符上に表示された数字は、押鍵する指がどの指であるかを示すための指番号であり、「１」は親指、「２」は人差し指、「３」は中指、「４」は薬指、「５」は小指にそれぞれ対応している。
【００３１】
図２のＸ部分の楽譜では、左手の中指（３）で「レ（シャープ）」を押鍵し（再生時刻Ｔ１）、左手の人差し指（２）で「ミ」を押鍵し（再生時刻Ｔ２）、その後、右手の人差し指（２）で「レ（シャープ）」を押鍵し（再生時刻Ｔ４）、右手の中指（３）で「ミ」を押鍵し（再生時刻Ｔ５）、その後、左手の中指（３）で「レ（シャープ）」を押鍵し（再生時刻Ｔ７）、左手の人差し指（２）で「ミ」を押鍵する（再生時刻Ｔ８）。
すなわち、一方の手で押鍵している時は、他方の手は休符（休止状態）であるので、左手と右手が交互に同じような鍵「レ（シャープ）」「ミ」を押鍵するようになる。
【００３２】
このような楽譜において、楽曲再生時の再生時刻に対応する運指位置情報を元に左手及び右手の運指画像を生成するに際して、左手及び右手の運指画像が重なる場合に、現在再生位置における押鍵対象の楽音のうち、発音開始時刻が最も遅い楽音に対応する手を前面に描画する。
また、現在再生位置における押鍵対象の楽音が無くどちらの手も押鍵していない時には、次に押鍵する指が含まれる手を前面に描画する。
【００３３】
したがって、再生時刻Ｔにおける左右の手の運指画像は、図３（ａ）〜（ｈ）に順次示すように、左右の手が重なり合った運指画像が時系列（再生時刻Ｔ１〜Ｔ８）に描画されるようになる。
また、押鍵時には、押鍵中マークＰが該当指先に表示され、押鍵された鍵部分も色を変化させている（斜線部分）。押鍵準備時には、次期押鍵を示す押鍵準備マークＱが該当指先に表示されている。
【００３４】
図３（ａ）の再生時刻Ｔ１の運指画像では、左手押鍵時であるので、左手が前面に描写される。左手の運指画像では、中指（３）で「レ（シャープ）」を押鍵し鍵の色が変化している。右手は、再生時刻Ｔ１では休符であるので、次回押鍵時（再生時刻Ｔ４）に押鍵する人差し指（２）を押鍵準備マークＱで示した状態となっている。
【００３５】
図３（ｂ）の再生時刻Ｔ２の運指画像では、再生時刻Ｔ１と同様に、左手押鍵時であるので、左手が前面に描写される。左手の運指画像では、人差し指（２）で「ミ」を押鍵し鍵の色が変化している。右手は、再生時刻Ｔ２でも休符であるので、次回押鍵時（再生時刻Ｔ４）に押鍵する人差し指（２）を押鍵準備マークＱで示した状態（押鍵準備中）となっている。
【００３６】
図３（ｃ）の再生時刻Ｔ３の運指画像では、左手離鍵時となり、現在再生位置における押鍵対象の楽音が無くどちらの手も押鍵していない状態となる。この時には、次回押鍵時（再生時刻Ｔ４）に押鍵する指が含まれる手を前面に描画するので、次の押鍵である右手が前面に描画される。
すなわち、左手の運指画像では再生時刻Ｔ７に向けて中指（３）が押鍵準備中となり、右手の運指画像では再生時刻Ｔ４に向けて人差し指（２）が押鍵準備中となり、次回押鍵時（再生時刻Ｔ４）の指を含む右手が前面になる。
【００３７】
図３（ｄ）の再生時刻Ｔ４の運指画像では、右手押鍵時であるので、右手が前面に描写される。右手の運指画像では、人差し指（２）で「レ（シャープ）」を押鍵し鍵の色が変化している。左手は、再生時刻Ｔ４では休符であるので、次回押鍵時（再生時刻Ｔ７）に押鍵する中指（３）を押鍵準備マークＱで示した状態となっている。
【００３８】
図３（ｅ）の再生時刻Ｔ５の運指画像では、右手押鍵時であるので、右手が前面に描写される。右手の運指画像では、中指（３）で「ミ」を押鍵し鍵の色が変化している。左手は、再生時刻Ｔ５でも休符であるので、次回押鍵時（再生時刻Ｔ７）に押鍵する中指（３）を押鍵準備マークＱで示した状態となっている。  
【００３９】
図３（ｆ）の再生時刻Ｔ６の運指画像では、右手離鍵時となり、現在再生位置における押鍵対象の楽音が無くどちらの手も押鍵していない状態となる。この時には、次回押鍵時（再生時刻Ｔ７）に押鍵する指が含まれる手を前面に描画するので、次の押鍵である左手が前面に描画される。すなわち、左手の運指画像では再生時刻Ｔ７に向けて中指（３）が押鍵準備中となる。
【００４０】
図３（ｇ）の再生時刻Ｔ７の運指画像では、左手押鍵時であるので、左手が前面に描画される。左手の運指画像では、中指（３）で「レ（シャープ）」を押鍵し鍵の色が変化している。
【００４１】
図３（ｈ）の再生時刻Ｔ８の運指画像では、左手押鍵時であるので、左手が前面に描写される。左手の運指画像では、人差し指（２）で「ミ」を押鍵し鍵の色が変化している。
【００４２】
次に、左手と右手が同時に押鍵状態となる場合について説明する。このような時に左手及び右手の運指画像が重なる場合で左手と右手が同時に押鍵された時には、難しい方の手を前面に描画する処理が行われる。
【００４３】
例えば図４に示す楽譜の場合、左手の小指（５）で「ド」、右手の薬指（４）で「ソ」を押鍵し（再生時刻Ｔ１１）、左手の薬指（４）で「ソ」を押鍵し（再生時刻Ｔ１２）、左手の中指（３）で「ド」及び親指（１）で「ミ」を同時に押鍵し（再生時刻Ｔ１３）、左手の薬指（４）で「ソ」、右手の人差し指（２）で「ミ」を同時に押鍵し（再生時刻Ｔ１４）、右手の親指（１）で「ド」を押鍵する（再生時刻Ｔ１５）。
【００４４】
このような楽譜において、楽曲再生時の再生時刻に対応する運指位置情報を元に左手及び右手の運指画像を生成するに際して、左手及び右手の運指画像が重なる場合に、上述した現在再生位置における押鍵対象の楽音のうち、発音開始時刻が最も遅い楽音に対応する手を前面に描画する処理、現在再生位置における押鍵対象の楽音が無くどちらの手も押鍵していない時には、次に押鍵する指が含まれる手を前面に描画する処理に加えて、左手と右手が同時に押鍵された時には、難しい方の手を前面に描画する処理が行われる。
【００４５】
したがって、再生時刻Ｔにおける左右の手の運指画像は、図５（ａ）〜（ｅ）に順次示すように、左右の手が重なり合った運指画像が時系列（再生時刻Ｔ１１〜Ｔ１５）に描画されるようになる。
また、押鍵時には、押鍵中マークＰが該当指先に表示され、押鍵された鍵部分も色を変化させている（斜線部分）。
【００４６】
図５（ａ）の再生時刻Ｔ１１の運指画像では、左手及び右手が押鍵時であり、両手が離れているので、左手及び右手が重なることなく描画される。左手の運指画像では、小指（５）で「ド」を押鍵し鍵の色が変化している。右手の運指画像では、薬指（４）で「ソ」を押鍵し鍵の色が変化している。
【００４７】
図５（ｂ）の再生時刻Ｔ１２の運指画像では、再生時刻Ｔ１１で両手押鍵後、押鍵中（後で押鍵される）の左手が前面に描写される。左手の運指画像では、薬指（４）で「ソ」を押鍵し鍵の色が変化している。右手の運指画像では、再生時刻Ｔ１１で押鍵された薬指（４）に押鍵中マークＰが付されている。
【００４８】
図５（ｃ）の再生時刻Ｔ１３の運指画像では、再生時刻Ｔ１１で両手押鍵後、和音押鍵中（後で押鍵される）の左手が前面に描写される。左手の運指画像では、人差し指（３）及び親指（１）で「ド」及び「ミ」の和音を押鍵し鍵の色が変化している。右手の運指画像では、再生時刻Ｔ１１で押鍵された薬指（４）に押鍵中マークＰが付されている。
【００４９】
図５（ｄ）の再生時刻Ｔ１４の運指画像では、両手が同時に押鍵時となる。この場合、難しい手の方が前面に描写されるが、この例の場合、左手が前面に描写される。左手の運指画像では、薬指（４）で「ソ」を押鍵し鍵の色が変化している。右手の運指画像では、人差し指（２）で「ミ」を押鍵し鍵の色が変化している。
【００５０】
図５（ｅ）の再生時刻Ｔ１５の運指画像では、再生時刻Ｔ１４で両手押鍵後、押鍵中（後で押鍵される）の右手が前面に描写される。右手の運指画像では、親指（１）で「ド」を押鍵し鍵の色が変化している。左手の運指画像では、再生時刻Ｔ１４で押鍵された薬指（４）に押鍵中マークＰが付されている。
【００５１】
左手及び右手の運指画像が重なる場合に、前面に描画する手の透過率を、もう片方の手の透過率よりも小さくして描画することで、前面に描画する運指画像を見易くしつつ、背面の手の運指画像も同時に確認可能とすることができる。
【００５２】
上述した例によれば、左手及び右手の運指画像が重なる場合において前面に描画する運指画像は、現在再生位置における押鍵対象の楽音が存在する場合は、楽音のうち、発音開始時刻が最も遅い楽音に対応する手の方の運指画像であり、現在再生位置における押鍵対象の楽音が無くどちらの手も押鍵していない時には、次に押鍵する指が含まれる手の方の運指画像となっている。
また、左手及び右手の運指画像が重なる場合で、左手と右手が同時に押鍵された時の難しい方の手を前面に描画する運指画像となっている。
【００５３】
次に、図１の運指位置情報生成部１４及び運指画像生成部１５において、運指位置情報から左手及び右手の両手の運指画像を生成する処理手順について、図６のフローチャートを参照して説明する。
運指表示装置では、格納された運指表示プログラムにより、再生時刻における押鍵情報を元に運指位置情報が生成され、これらの運指位置情報を元に左手及び右手の運指画像が生成されて表示装置１８に描画される。押鍵情報には、音量に関する情報も含まれている。
【００５４】
先ず、鍵盤幅に対する相対長さ、手の甲からの相対位置である各指と手の甲の形状に関する情報、ノートナンバー、押鍵時間、音量値など、鍵盤情報及び鍵盤上に描画される両手（左手及び右手）の運指画像生成に必要な情報が読み取られる（ステップ４１）。
次に、ステップ４１の鍵盤情報から鍵盤描写を行う（ステップ４２）。
【００５５】
再生時刻が押鍵中であるかどうかを判断する（ステップ４３）。押鍵中である場合には、両手同時の押鍵であるかを判断する（ステップ４４）。
両手同時の押鍵中でなければ、直前押鍵は左手であるかを判断する（ステップ４５）。
直前押鍵が左手である場合、右手の運指画像を描写し（ステップ４６）、その上に左手の運指画像を描画し（ステップ４７）、左手が前面に配置された運指画像を画面に表示する（ステップ５０）。
直前押鍵が右手である場合、左手の運指画像を描写し（ステップ４８）、その上に右手の運指画像を描画し（ステップ４９）、右手が前面に配置された運指画像を画面に表示する（ステップ５０）。
【００５６】
ステップ４３で再生時刻が押鍵中でない場合、次押鍵は左手であるかを判断する（ステップ５１）。
次押鍵が左手である場合、右手の運指画像を描写し（ステップ５２）、その上に左手の運指画像を描画し（ステップ５３）、左手が前面に配置された運指画像を画面に表示する（ステップ５０）。
次押鍵が右手である場合、左手の運指画像を描写し（ステップ５４）、その上に右手の運指画像を描画し（ステップ５５）、右手が前面に配置された運指画像を画面に表示する（ステップ５０）。
【００５７】
ステップ４４で両手同時の押鍵中の場合、左手の操作と右手の操作との難易度を比較し、左手の難易度が高いかどうかを判断する（ステップ６１）。
難易度が高いか否かの判断は、その都度、手の左右、押鍵位置、押鍵指移動の速度や移動距離、前後移動、音価や音の頻度等を考慮し、基準を満足するかどうかで判断する。また、演奏開始時に楽曲全体を走査し、楽曲により設定されている難易度が高い場所を検出するようなものでもよい。
【００５８】
左手の難易度が高い場合、右手の運指画像を描写し（ステップ６２）、その上に左手の運指画像を描画し（ステップ６３）、左手が前面に配置された運指画像を画面に表示する（ステップ５０）。
右手の難易度が高い場合、左手の運指画像を描写し（ステップ６４）、その上に右手の運指画像を描画し（ステップ６５）、右手が前面に配置された運指画像を画面に表示する（ステップ５０）。
【００５９】
上述した運指表示プログラムによれば、左手及び右手の運指画像を描画するに際して、左手と右手とが接近したり交差したりする場合であっても、現在再生位置における押鍵対象の楽音のうち、発音開始時刻が最も遅い楽音に対応する手を前面に表示し、現在再生位置における押鍵対象の楽音が無くどちらの手も押鍵していない時には、次に押鍵する指が含まれる手を前面に表示することが可能となる。
【００６０】
その結果、練習者が最も知りたい情報である最後に押鍵すべき情報（手の形状や手の甲の位置、押鍵すべき指、押鍵する鍵の位置）を前面に表示することで、それより前に押鍵した手や指に隠されたり邪魔されたりすることなく表示することが可能となる。
【００６１】
また、左手及び右手の運指画像が重なる場合で、左手と右手が同時に押鍵された時には、難しい方の手を前面に表示することで、練習者にとってより重要である難易度の高い方の手の指の情報を優先させることができる。
【００６２】
また、左手及び右手の運指画像が重なる場合に、前面に表示される手の透過率を、もう片方の手の透過率よりも小さくして描画することで、前面の運指画像を見易くしつつ、背面の手の運指画像も同時に確認可能とすることができる。
【符号の説明】
【００６３】
１１…楽音・指番号情報記憶部
１２…押鍵情報生成部
１３…押鍵情報記憶部
１４…運指位置情報生成部
１５…運指画像生成部
１６…楽譜画像生成部
１７…画像情報記憶部
１８…表示装置
２１…再生情報生成部
２２…再生情報記憶部
２３…サウンド生成部
２４…サウンド再生部
２５…サウンド出力装置
Ｐ…押鍵中マーク
Ｑ…押鍵準備マーク
【図１】
2019179161.tif 000003
【図２】
2019179161.tif 000004
【図３】
2019179161.tif 000005
【図４】
2019179161.tif 000006
【図５】
2019179161.tif 000007
【図６】
2019179161.tif 000008